(57)【要約】【課題】ズボン着用者が装着している靴下や靴等の履物へ汗水が流下することを抑制でき、それだけ快適に使用できる発汗促進ズボンを提供する。【解決手段】ズボン本体１、ズボン本体１の上端部に連設されたバンド部２及びズボン本体１の左右それぞれの脚通し部１１の少なくとも裾部１１１の内面に設けられた汗水吸収部３を有しており、ズボン本体１は、例えばチタン配合の保温性を有する非通気性合成樹脂シート１００を表布１０３の裏面に重ね合わせた布材１０で形成されており、汗水吸収部３はズボン着用者の発汗に伴ってズボン本体内面を伝って流下する汗水を吸収し、蒸散させる吸水蒸散性布材３０で形成されている発汗促進ズボンＡ。【選択図】      図１
2007297745.tif 000002
【特許請求の範囲】
【請求項１】
ズボン本体、該ズボン本体の上端部に連設されたバンド部及び該ズボン本体の左右それぞれの脚通し部の少なくとも裾部内面に設けられた汗水吸収部を有しており、該ズボン本体は、保温性を有する非通気性シートを用いて形成されるとともに該保温性を有する非通気性シートがズボン着用者側へ向けられるように形成されており、該汗水吸収部はズボン着用者の発汗に伴って該ズボン本体の内面を伝って流下する汗水を吸収する吸水性布材で形成されていることを特徴とする発汗促進ズボン。
【請求項２】
前記汗水吸収部を形成している吸水性布材は、前記ズボン本体の内面を伝って流下する汗水を吸収し、蒸散させる機能を有する吸水蒸散性布材である請求項１記載の発汗促進ズボン。
【請求項３】
前記ズボン本体は、前記保温性の非通気性シートを表布の裏面に重ね合わせた布材で形成されている請求項１又は２記載の発汗促進ズボン。
【請求項４】
前記バンド部は、ズボン着用者の前記ズボン本体より上側に位置する身体部分を囲撓可能の筒形状のバンド部であり、伸縮性布材からなり、多重に折り返し使用可能である請求項１、２又は３記載の発汗促進ズボン。
【発明の詳細な説明】
【技術分野】
【０００１】
本発明は、運動着、普段着などとして着用でき、着用者の発汗を促進させる機能を有する発汗促進ズボンに関する。
【背景技術】
【０００２】
従来、発汗促進ズボン等の発汗促進着は、例えば、サウナ袋、サウナスーツ、サウナズボン、ダイエット用サウナスーツ、ダイエット用サウナズボンなどと称して、種々のタイプのものが提案されてきた。
【０００３】
例えば、実用新案登録第３１１００８５号公報には、合成樹脂等で形成され、人体の左右の脚を通すための二股の足装着部を設けて歩行可能にしたサウナ発汗袋が記載されている。実用新案登録第３１１８４１６号公報には、遠赤外線放射体を含む袋体で形成され、人体の左右の脚を通すための袴足袋部を有する温熱汗かきサックが記載されている。
【０００４】
また、最近では、チタン配合のシート等の保温性シートを用いて形成した発汗促進着も提案されている。
【０００５】
【特許文献１】実用新案登録第３１１００８５号公報
【特許文献２】実用新案登録第３１１８４１６号公報
【発明の開示】
【発明が解決しようとする課題】
【０００６】
しかしながら、このような従来の発汗促進着は、発汗に伴う汗水を吸収する手段を備えておらず、汗水が発汗促進着の内面に付着し、さらには流下し、着用者に不快感を与えることがあった。特に、発汗促進ズボン、なかでも、保温性シートを用いて形成された発汗促進ズボンでは、着用者の発汗に伴って汗水がズボン内面に多量に付着し、さらにはズボン内面を伝って流下する汗水が靴下に流れ込んだり、靴内に流れ込むなどし、とりわけ汗水が靴下に流れ込んだり、靴内に流れ込むことで、着用者に大きい不快感を与えていた。      
【０００７】
そこで本発明は、ズボン着用者が装着している靴下や靴等の履物へ汗水が流下することを抑制でき、それだけ快適に使用できる発汗促進ズボンを提供することを課題とする。
【課題を解決するための手段】
【０００８】
前記課題を解決するため本発明は、
ズボン本体、該ズボン本体の上端部に連設されたバンド部及び該ズボン本体の左右それぞれの脚通し部の少なくとも裾部内面に設けられた汗水吸収部を有しており、該ズボン本体は、保温性を有する非通気性シートを用いて形成されるとともに該保温性を有する非通気性シートがズボン着用者側へ向けられるように形成されており、該汗水吸収部はズボン着用者の発汗に伴って該ズボン本体の内面を伝って流下する汗水を吸収する吸水性布材で形成されている発汗促進ズボンを提供する。
【０００９】
ここで「保温性を有する非通気性シート」とは、熱反射及び（又は）遠赤外線放射等によって保温効果を発揮する非通気性シートである。
本発明に係る発汗促進ズボンによると、ズボン着用者は、ズボン本体の左右脚通し部に脚を通してズボン本体を装着するとともにズボン本体上端部に連設されたバンド部でズボン本体を着用者身体に留めて使用することができ、着用状態で各種作業、各種運動等により着用者が動作すると、ズボン内面を形成している保温性の非通気性シートの作用で発汗が促され、体重減量、健康増進等をもたらすことができる。
【００１０】
ズボン着用者の発汗に伴ってズボン本体内面に付着し、さらには該内面を伝って流下する汗水は、ズボン本体の脚通し部の少なくとも裾部内面に設けられた汗水吸収部に吸収され、それにより汗水がズボン着用者の靴下や靴等の履物内へ流下することが抑制され、それだけ快適に発汗促進ズボンを着用できる。
【００１１】
前記汗水吸収部を形成している吸水性布材は、例えば、綿織物、吸水性樹脂を含む布材等でもよいが、前記ズボン本体の内面を伝って流下する汗水の吸収能を有するだけでなく、吸収した水分を蒸散させる機能も有する吸水蒸散性布材であることがより好ましい。
【００１２】
かかる吸水蒸散性布材として、例えば、東レ株式会社製の吸水速乾性を有するニット素材「フィールドセンサー」（登録商標）や、東レ株式会社製繊維「セオアルファ」（登録商標）を用いた吸水速乾性布材を挙げることができる。
【００１３】
ズボン本体は、保温性を有する非通気性シートを用いて形成されるとともに該保温性を有する非通気性シートがズボン着用者側へ向けられるように形成されるが、その場合、ズボン本体は保温性を有する非通気性シートだけから形成されてもよいが、冬季における着用時の防寒や、ズボンの外観体裁を良くする等のために、保温性を有する非通気性シートを表布の裏面に重ね合わせた布材で形成してもよい。
【００１４】
いずれにしても、ズボン本体上端部に連設されたバンド部は、ズボン本体と同じ材料を利用して、また、必要に応じ該材料にゴム帯等の伸縮性帯を付加逢着するなどして、ズボン本体と一体的に形成されていてもよく、換言すれば、ズボン本体の一部であるかのごとく形成されていてもよく、或いは無端ではなく両自由端部を有するように形成され、該両端部を係合部材（例えば面状ファスナ）にて互いに連結留めできるものでもよく、ズボン本体とは別に形成されてズボン本体に連設されたものでもよい。
いずれにしても、バンド部がズボン本体の上端部に連設されていることで、それだけズボンの着用が容易である。
【００１５】
ズボン本体とは別に形成されてズボン本体に連設されたバンド部の例として、ズボン着用者の前記ズボン本体より上側に位置する身体部分を囲撓できる伸縮性布材からなるバンド部を挙げることができる。このバンド部は、例えば筒形状に形成して、着用者の体格や好みに応じて、或いは外観体裁を整える等のために、適宜多重に（例えば二重バンドを形成するように）折り返し使用可能なものとしてもよい。
【発明の効果】
【００１６】
以上説明したように本発明によると、ズボン着用者が装着している靴下や靴等の履物へ汗水が流下することを抑制でき、それだけ快適に使用できる発汗促進ズボンを提供することができる。
【発明を実施するための最良の形態】
【００１７】
以下本発明に係る発汗促進ズボンの１例Ａについて図面を参照して説明する。
図１は発汗促進ズボンＡの正面図、図２は同ズボンの背面図である。図３はズボンＡを裏返した状態の正面図、図４は同状態の背面図である。図５はズボン本体１を形成している布材１０の拡大断面図である。図６はズボンＡの着用例の正面図であり、図７はバンド部２の折り返し使用例を示す図である。
【００１８】
図示の発汗促進ズボンＡは、ズボン本体１、該ズボン本体１の上端部に連設されたバンド部２及び該ズボン本体の左右それぞれの脚通し部１１の裾部１１１の内面に逢着された汗水吸収部３を有するものである。
【００１９】
ズボン本体１は、図５に示す布材１０、すなわち、熱反射及び（又は）遠赤外線放射により保温性を発揮する非通気性合成樹脂シート１００を表布１０３の裏面に重ね合わせた屈曲性を有する布材１０で形成されている。ズボン本体１は、表布１０３を採用しないで、例えば保温性を有する非通気性合成樹脂シートのみから形成してもよいが、本例では、冬季における着用時の防寒や、ズボンの外観体裁を良くする等のために、保温性を有する非通気性合成樹脂シート１００を表布１０３の裏面に重ね貼り合わせた布材で形成している。
【００２０】
保温性を有する非通気性合成樹脂シート１００は、本例では、非通気性のポリウレタン樹脂シート１０１をチタン配合ポリウレタン樹脂からなる接着材層１０２で表布１０３の裏面に貼り合わせて形成してある。さらに言えば、ここでは、非通気性のポリウレタン樹脂シート１０１及びチタン配合ポリウレタン樹脂からなる接着材層１０２が保温性を有する非通気性合成樹脂シート１００を形成している。
なお、シート１００に代えて、例えば、非通気性合成樹脂シート面にアルミニウム蒸着膜を形成したシートや、チタン配合とアルミニウム蒸着膜とを組み合わせ有している非通気性合成樹脂シート等も採用可能である。
【００２１】
表布１０３としては、天然繊維、合成繊維、これらの組み合わせ等から形成された布或いは不織布などの各種の屈曲性を有する布を採用できる。例えば、ポリエステル系糸からなる布材〔例えば旭化成せんい株式会社のポリエステル系糸からなる布材「アクアジョブ」（登録商標）〕を採用できる。
【００２２】
バンド部２は、ズボン着用者Ｂの、ズボン本体１より上側に位置する身体部分を囲撓できるように筒形状に形成され、ズボン本体１の上端部に逢着連設されている。バンド部２は伸縮性布材からなっており、それには限定されないが本例では伸縮性を有するポリエステル製ニットで形成されている。
【００２３】
ズボン本体１の左右それぞれの脚通し部１１の裾部１１１の内面に逢着された汗水吸収部３は、ズボン本体１の内面（本例ではシート１００内面）を伝って流下する汗水の吸収能を有するだけのものでもよいが、ここでは、さらに吸収した水分を蒸散させる機能も有する吸水蒸散性布材３０で形成されている。
【００２４】
より具体的には、本例では、東レ株式会社製の吸水速乾性を有するニット素材「フィールドセンサー」（登録商標）で形成されている。該ニット素材は毛管現象を利用して吸水面側で吸水し、吸水した水分を蒸散面側へ移動させ、該蒸散面側で蒸散させ得るものである。該吸水面側がズボン着用者Ｂへ向くように裾部１１１の内面に当てがわれ、上下縁部３１、３２において該裾部１１１に逢着されている。
なお、汗水吸収部３は、例えば、東レ株式会社製繊維「セオアルファ」（登録商標）を用いた吸水速乾性布材で形成してもよい。
【００２５】
汗水吸収部３は、少なくともズボン本体１の脚通し部１１の裾部１１１の内周面に形成すればよいが、その上下方向の幅は、あまり短すぎると汗水吸収量が不十分となり、長すぎると、人体側へ露出する保温性シート１００の面積が低減して発汗促進機能が損なわれるおそれがあるので、例えば、１１ｃｍ〜１４ｃｍ程度が好ましい。図示例のものは略１２．５ｃｍである。
【００２６】
以上説明した発汗促進ズボンＡによると、ズボン着用者Ｂは、ズボン本体１の左右脚通し部１１に脚を通してズボン本体１を装着するとともにズボン本体上端部に連設されたバンド部２でズボン本体１を着用者身体に留めて使用することができ、着用状態で各種作業、各種運動等により着用者が動作すると、ズボン内面を形成している保温性を有する非通気性シート１００の作用で発汗が促され、体重減量、健康増進等が促される。
【００２７】
ズボン着用者Ｂの発汗に伴ってズボン本体１の内面（ここではシート１００内面）に付着し、さらには該内面を伝って流下する汗水は、ズボン本体１の脚通し部１１の裾部内面に設けられた汗水吸収部３に吸収され、それにより汗水がズボン着用者Ｂの靴下４や履物５内へ流下することが抑制され、それだけ快適に発汗促進ズボンＡを着用できる。
【００２８】
また、ズボン着用者Ｂの体格や好みに応じて、或いは外観体裁を整える等のために、バンド部２を適宜多重に、例えば二重、三重等に折り返し使用することができる。図７はバンド部３を外側へ二重に折り返して用いている例を示している。
【産業上の利用可能性】
【００２９】
本発明は、汗水がズボン着用者の靴下や履物へ流下することを抑制して快適に使用できる発汗促進ズボンを提供ことに利用できる。
【図面の簡単な説明】
【００３０】
【図１】発汗促進ズボンの正面図である。
【図２】図１に示すズボンの背面図である。
【図３】図１に示すズボンを裏返した状態の正面図である。
【図４】図１に示すズボンを裏返した状態の背面図である。
【図５】ズボン本体を形成している布材の拡大断面図である。
【図６】図１に示すズボンの着用例の正面図である。
【図７】バンド部の折り返し使用例を示す図である。
【符号の説明】
【００３１】
Ａ      発汗促進ズボン
１      ズボン本体
１１    ズボン本体の脚通し部
１１１  脚通し部の裾部
１０    ズボン本体を形成している布材
１００  保温性を有する非通気性合成樹脂シート
１０１  チタン配合接着材
１０２  非通気性合成樹脂シート
１０３  表布
２      バンド部
３      汗水吸収部
３０    吸水蒸散性布材
Ｂ      ズボン着用者
４      靴下
５      履物
【図１】
2007297745.tif 000003
【図２】
2007297745.tif 000004
【図３】
2007297745.tif 000005
【図４】
2007297745.tif 000006
【図５】
2007297745.tif 000007
【図６】
2007297745.tif 000008
【図７】
2007297745.tif 000009